(57)【要約】【課題】消火水に薬剤を添加するスプリンクラ消火設備であって、安価で、薬剤の消火水への添加・混合が適切に行われ、放水も適切に行われるスプリンクラ消火設備を提供する【解決手段】消火水が放水されるスプリンクラヘッド３と、スプリンクラヘッド３を囲むように設置された薬剤保持具５と、薬剤保持具５に保持された薬剤７とを備え、薬剤７はスプリンクラヘッド３から放水される消火水が当たることで該消火水に添加されるように薬剤保持具５に保持されていることを特徴とするスプリンクラ消火設備。【選択図】  図１
2011055873.tif 000002
【特許請求の範囲】
【請求項１】
消火水を放水するスプリンクラヘッドと、該スプリンクラヘッドを囲むように設置された薬剤保持具と、該薬剤保持具に保持された薬剤とを備え、該薬剤は前記スプリンクラヘッドから放水される消火水が当たることで該消火水に添加されるように前記薬剤保持具に保持されていることを特徴とするスプリンクラ消火設備。
【請求項２】
前記薬剤保持具は、前記消火水に前記薬剤を添加する添加部が、前記スプリンクラヘッドを囲む周方向所定間隔ごとに設けられていることを特徴とする請求項１記載のスプリンクラ消火設備。
【請求項３】
前記薬剤は軸方向に貫通する貫通孔を有する棒状に形成された固形状薬剤であって、前記薬剤保持具は前記固形状薬剤の前記貫通孔に挿通された棒材によって前記固形状薬剤を保持していることを特徴とする請求項１又は２記載のスプリンクラ消火設備。
【請求項４】
前記固形状消火剤は、放水される消火水を含むとジェル状になることを特徴とする請求項３記載のスプリンクラ消火設備。
【請求項５】
前記薬剤は液状薬剤であって、前記薬剤保持具は前記液状薬剤を貯留するケースを有し、該ケースは放水時の消火水によって開放される栓部材を備えていることを特徴とする請求項１又は２記載のスプリンクラ消火設備。
【請求項６】
前記ケースは、下端部に薬剤の排出口を有し、ケース内に薬剤を押し出す押し出し力を付加する押し出し力付加手段が設けられていることを特徴とする請求項５記載のスプリンクラ消火設備。
【発明の詳細な説明】
【技術分野】
【０００１】
本発明は、スプリンクラヘッドから消火水を放水して消火を行うスプリンクラ消火設備に関するものである。
【背景技術】
【０００２】
スプリンクラ消火設備においては、一般に防護区画ごとにスプリンクラヘッドが設置され、火災の際には貯留槽の消火水をポンプで供給して前記スプリンクラヘッドから放水するというものである。
このようなスプリンクラ消火設備においては、放水による水損をいかに最小にするかという水損低減が重要なテーマの一つになっている。
【０００３】
水損を低減する一つの方法として、消火の際に吸水性ポリマを同時または事前に供給することによって、消火水を吸水性ポリマで吸収して床等に染み込むのを抑制し、水損を防止する提案がなされている（特許文献１参照）。
また、他の方法として、消火の際に消火力を向上させる消火薬剤を消火水に添加することによって消火水の量を低減するという提案もなされている（特許文献２参照）。
【０００４】
特許文献１、２のいずれの例においても、消火水とは別の薬剤を消火水に添加することを要し、そのための工夫が必要となる。
この点、特許文献１では以下のような２つの方法が提案されている。吸水性ポリマと高圧不活性ガス等の高圧ガスを貯蔵し得るポリマタンクを設置し、該ポリマタンクに配管を接続し、該配管の先端に吸水性ポリマ専用の散布ヘッドを設置し、この吸水性ポリマ専用の散布ヘッドの近傍に消火水を放水するスプリンクラヘッドを並べて設置するというものである。
他の方法としては、前記ポリマタンクと給水管の両方に連通する混合供給管を設け、該混合供給管の先端に混合散布ヘッドを設けるというものである。
【０００５】
また、特許文献２においては、薬剤貯留タンクを備えた消火薬剤混合装置を設け、火災発生時に配水管に消火水の水流が発生したときに、消火薬剤が配水管を流れる消火水に自動的に供給されるようにしている。
【先行技術文献】
【特許文献】
【０００６】
【特許文献１】特開平８−７５６号公報
【特許文献２】特開平５−３４５０４５号公報
【発明の概要】
【発明が解決しようとする課題】
【０００７】
先行文献に開示された薬剤の添加あるいは混合方法では種々の問題を有している。まず、特許文献１に記載されたように、吸水性ポリマ用の散布ヘッドと消火水用のスプリンクラヘッドを併設するものでは、２つのヘッド及び配管が必要となることから設備コストが嵩むという問題がある。また、散布ヘッドとスプリンクラヘッドを併設したとしても、それぞれのヘッドから放出される消火水と吸水性ポリマを効果的に混合させるのは難しい。
また、特許文献１や特許文献２に記載されたように、消火水が放水される手前で薬剤を添加する方法の場合は、上記と同様に、２本の配管が必要となることに加え混合器も必要なため設備コストが嵩むという問題がある。また、薬剤が吸水性ポリマのようなものの場合には、消火水に混合されたときにジェル状となって高い粘度を有するため、配管途中で混合させると、流れにくくなり、また放水が適切に行われない虞れもある。
【０００８】
以上のように、従来の薬剤の添加・混合方式では、設備コストが嵩むことに加えて、混合が適切に行われない虞れや、放水が適切に行われない虞れがある。
【０００９】
本発明はかかる課題を解決するためになされたものであり、消火水に薬剤を添加するスプリンクラ消火設備であって、設備コストがかからず、薬剤の消火水への添加・混合が適切に行われ、放水も適切に行われるスプリンクラ消火設備を提供することを目的としている。
【課題を解決するための手段】
【００１０】
（１）本発明に係るスプリンクラ消火設備は、消火水を放水するスプリンクラヘッドと、該スプリンクラヘッドを囲むように設置された薬剤保持具と、該薬剤保持具に保持された薬剤とを備え、該薬剤は前記スプリンクラヘッドから放水される消火水が当たることで該消火水に添加されるように前記薬剤保持具に保持されていることを特徴とするものである。
【００１１】
（２）また、上記（１）記載のものにおいて、前記薬剤保持具は、前記消火水に前記薬剤を添加する添加部が、前記スプリンクラヘッドを囲む周方向所定間隔ごとに設けられていることを特徴とするものである。
【００１２】
（３）また、上記（１）または（２）に記載のものにおいて、前記薬剤は軸方向に貫通する貫通孔を有する棒状に形成された固形状薬剤であって、前記薬剤保持具は前記固形状薬剤の前記貫通孔に挿通された棒材によって前記固形状薬剤を保持していることを特徴とするものである。
【００１３】
（４）また、上記（３）に記載のものにおいて、前記固形状消火剤は、放水される消火水を含むとジェル状になることを特徴とするものである。
【００１４】
（５）また、上記（１）または（２）に記載のものにおいて、前記薬剤は液状薬剤であって、前記薬剤保持具は前記液状薬剤を貯留するケースを有し、該ケースは放水時の消火水によって開放される栓部材を備えていることを特徴とするものである。
【００１５】
（６）また、上記（４）または（５）に記載のものにおいて、前記ケースは、下端部に薬剤の排出口を有し、ケース内に薬剤を押し出す押し出し力を付加する押し出し力付加手段が設けられていることを特徴とするものである。
【発明の効果】
【００１６】
本発明においては、消火水を放水するスプリンクラヘッドと、該スプリンクラヘッドを囲むように設置された薬剤保持具と、該薬剤保持具に保持された薬剤とを備え、該薬剤は前記スプリンクラヘッドから放水される消火水が当たることで該消火水に添加されるように前記薬剤保持具に保持されているので、消火剤を添加するために配管を別途設置したりする必要がなく設備コストが嵩むのを防止できる。また、散水後に消火剤が添加されるので、消火剤の添加によってジェル状になるような消火剤であっても放水が阻害されることなく適切に行われ、混合も適切に行われる。それ故に、消火効率が向上し、水損を可及的に防止することができる。
【図面の簡単な説明】
【００１７】
【図１】本発明の一実施の形態に係るスプリンクラ消火設備の説明図であって、スプリンクラヘッド周辺部を示す図である。
【図２】図１の一部を断面で示す説明図である。
【図３】本発明の他の実施の形態に係るスプリンクラ消火設備の説明図であって、スプリンクラヘッド周辺部を示す図である。
【図４】本発明の他の実施の形態に係るスプリンクラ消火設備の説明図であって、スプリンクラヘッド周辺部を示す図である。
【図５】本発明の他の実施の形態に係るスプリンクラ消火設備の説明図であって、スプリンクラヘッド周辺部を示す図である。
【図６】図５の矢視Ａ−Ａ図である。
【発明を実施するための形態】
【００１８】
［実施の形態１］
図１、図２に基づいて本発明の実施の形態１のスプリンクラ消火設備を説明する。本実施の形態に係るスプリンクラ消火設備１は、スプリンクラヘッド３と、該スプリンクラヘッド３に設置された消火剤保持具５と、該消火剤保持具５に保持された固形状消火剤７を備えている。
以下、各構成を詳細に説明する。
【００１９】
＜スプリンクラヘッド＞
スプリンクラヘッド３は、種々の形態のものが使用できるが、ここでは一般的なものとして、感熱分解部に半田を使用した閉鎖型スプリンクラヘッドを例示してある。スプリンクラヘッド３の構造を概説すると、図示しない送水管に接続される本体部９と、本体部９に螺合されて設置された有底円筒状のフレーム１１と、感熱板を兼ねた保護カバー１３と、水平感熱板１５と、フレーム１１内に設置されて感熱板の加熱に起因する内部の半田の溶融に連動して開弁作用をする感熱分解部（図示なし）とを備えている。フレーム１１には複数の散水口１７が設けられている。
【００２０】
スプリンクラヘッド３の動作を概説すると、火災が発生して、感熱板を兼ねた保護カバー１３や水平感熱板１５が加熱されると、内部に設置された半田が溶融して、これに連動して感熱分解部が分解し、放水口を閉止していた弁体が下降してフレーム底部に着座して散水口１７から散水される。
【００２１】
＜消火剤保持具＞
消火剤保持具５は、スプリンクラヘッド３の本体部９に設置される円環状の台座部１９と、該台座部１９の下面側に等間隔で設置される芯棒２１を備えている。
台座部１９における中央の開口部の下面側には、段部１９ａが形成され、該段部１９ａがスプリンクラヘッド３の本体部９のフランジ部９ａに設置されることで、台座部１９は安定して本体部９に設置される（図２参照）。台座部１９の中央の開口部の内径は、ヘッド３の本体部９及びフランジ９ａの外径とほぼ等しいか、それよりわずかに大きい大きさとなっている。台座部１９の下面側には等間隔でネジ穴１９ｂが形成され（図２参照）、該ネジ穴１９ｂに芯棒２１の上端側にあるネジが螺入されて固定される。
芯棒２１は、下端側に受板２３を備えると共に該受板２３の中心から棒材が延出する形状であり、側面視で逆さＴ字状をしている。
芯棒２１はスプリンクラヘッド３を囲むようにスプリンクラヘッド３の周囲に等間隔で配置される。
【００２２】
＜固形状消火剤＞
本実施の形態では消火剤の例として、固形状消火剤７を用いたものであり、消火水を含むと溶解する。このような固形状消火剤７の例としては、セッケンや液状消火剤の成分を固形化したもの等がある。
固形状消火剤７は、図１、図２に示すように、円筒状に形成され、中央の孔２５に芯棒２１が挿通されて、該芯棒２１の下端に形成された受板２３によって保持される。
固形状消火剤７は、芯棒２１に保持されることで、スプリンクラヘッド３を囲むようにスプリンクラヘッド３の周囲に等間隔で配置される。固形状消火剤７の高さは適当に調節可能であるが、少なくとも固形状消火剤の下端部が散水口１７から放水される水にあたる位置にあればよい。
【００２３】
上記のように構成されたスプリンクラ消火設備１においては、スプリンクラヘッド３が開放して、フレーム１１の散水口１７から消火水が放水されると、該消火水が固形状消火剤７を削るようにして消火剤を含んで散水される。
固形状消火剤の散水口１７より下側の部分が消火水によって削られると、徐々に下方に下がって順次消火水に添加され、全てが溶解するまで継続して消火水に薬剤が添加されることになる。
【００２４】
以上のように、本実施の形態によれば、消火剤を添加するために配管を別途設置したりする必要がなく設備コストが嵩むことはない。また、上述したように、散水後に消火剤が添加されるので、混合は適切に行われる。それ故に、消火効率が向上する。
また、消火剤がスプリンクラヘッド３を囲むように配置されているので、消火剤がプロテクタとして機能し、スプリンクラヘッド３を外力から防護することができる。なお、固形状消火剤としては、吸水性ポリマのような粉末を水で溶ける糊等で固めたものを使用してもよい。この場合にはスプリンクヘッド３からの放水によってジェル状になる消火剤が防護区画に放出されることになり、水損防止の効果がある。ジェル状になるのは、散水口１７から散水された後であり、混合してジェル状になった後に放水する従来例の場合のように、ジェル状になって配管内を移動することがないので、放水が阻害されることなく、適正な放水が行われる。
【００２５】
［実施の形態２］
実施の形態２を図３に基づいて説明する。図３において、図１、図２と共通する部位には同一の符合を付してある。本実施の形態では、消火剤を液状の消火剤とし、液状消火剤２７を保持する消火剤保持具５として、円柱状容器（ケース）２９を用いるようにしたものである。以下、詳細に説明する。
【００２６】
＜円柱状容器＞
円柱状容器２９は、上端側が開口し、該開口部を台座部１９に固定できるようになっている。固定の態様としては、例えば台座側に雄ネジを形成し、円柱状容器２９の上端内周に雌ネジを形成し、雄ネジに円柱状容器２９の雌ネジをねじ込むことで固定するようにする。
円柱状容器の下端部には消火剤が適量ずつ出るような縮径された排出口３１が設けられている。排出口３１には、常時は排出口３１を閉じる栓部材３３が設置されている。栓部材３３は下端側に円板状の受水部３５を有しており、その外径が円柱状容器２９の外径よりも大径になるように形成されている。このようにすることで、放水時の消火水を受けやすく、開栓が確実に行なわれる。
【００２７】
＜液状消火剤＞
液状消火剤２７の例としては、第２リン酸アンモニウム水溶液、浸潤剤水溶液、保水剤水溶液などを用いることができる。
【００２８】
以上のように構成された本実施の形態においては、スプリンクラヘッド３から放水が開始されると、消火水が栓部材３３の受水部３５に当たり、栓部材３３が飛ばされて開栓される。開栓されることで、排出口３１が開放され、適量の消火剤が排出され、散水されている消火水に混合される。
【００２９】
本実施の形態によれば、実施の形態１の効果と同様に、消火剤を添加するために配管を別途設置したりする必要がなく設備コストが嵩むことはない。また、散水後に消火剤が添加されるので、消火剤の添加によってジェル状になるような消火剤であっても放水が阻害されることなく適切に行われ、混合も適切に行われる。それ故に、消火効率が向上し、水損を可及的に防止することができる。
また、円柱状容器２９がスプリンクラヘッド３を囲むように配置されているので、円柱状容器２９がプロテクタとして機能し、スプリンクラヘッド３を外力から防護することができる。
【００３０】
［実施の形態３］
実施の形態３を図４に基づいて説明する。図４において、図３と共通する部位には同一の符合を付してある。
本実施の形態は、実施の形態２のものにおいて、円柱容器内の消火剤を強制的に押し出すための押し出し手段３７を設けたものである。
押し出し手段３７は、図４に示されるように、上端側が台座に取り付けられたバネ３９と、バネ３９の下端側に取り付けられたピストン４１を備えて構成されている。バネ３９は常時ピストン４１を下方に向けて付勢している。
【００３１】
本実施の形態によれば、ピストン４１によって消火剤を常時排出口側に押し出すようにしたので、消火剤の粘性が高いような場合であっても、消火剤を確実に排出口から排出させることができる。また、消火剤の排出を自然落下状態で行う場合には、消火剤の量が少なくなると出が悪くなるが、本実施の形態では常時押し出し力を付与するので、適量を確実に排出することができる。
なお、本実施の形態では、バネ３９のバネ力を調整することで、消火剤の排出量をコントロールすることもできる。
【００３２】
なお、押し出し手段３７の構成としては、常時、液状消火剤２７を排出口側に押し出すようにできる構成であればバネ３９とピストン４１以外の構成であってもよい。
【００３３】
［実施の形態４］
実施の形態４を図５、図６に基づいて説明する。図５、図６において、図４と共通又は相当する部位には同一の符合を付してある。
実施形態２、３では、液状消火剤２７を入れる容器を複数の円柱容器で構成したが、本実施の形態では、断面がリング状のリング容器４３で構成し、該リング容器４３の下部に等間隔で排出口を設けたものである。そして、各排出口を閉止する栓部材３３が設けられている。栓部材３３は、受水部３５が共通するリング板状に形成されている。このリング容器４３の内径は、スプリンクラヘッド３のフランジ部９ａに嵌合される大きさに形成されている。
【００３４】
本実施の形態によれば、実施の形態２、３と同様の効果を奏することができる。また、容器が連続しており、スプリンクラヘッド３の全周を囲んでいるため、容器のプロテクタとしての機能が他の実施の形態よりも確実に発揮できる。また添加できる消火剤の量を増やすことが可能となる。
【００３５】
各実施形態におけるスプリンクラヘッドとは閉鎖型だけでなく、開放型も含む。開放型のスプリンクラヘッドを使用する際には、感知器の信号により送水管に設けた弁を開放して散水する設備などが考えられる。
【符号の説明】
【００３６】
１  スプリンクラ消火設備    ３  スプリンクラヘッド  ５  消火剤保持具
７  固形状消火剤            ９  本体部            ９ａ  フランジ部
１１  フレーム              １３  保護カバー        １５  水平感熱板
１７  散水口                １９  台座部          １９ａ  段部
１９ｂ  ネジ穴                ２１  芯棒              ２３  受板
２５  孔                    ２７  液状消火剤        ２９  円柱状容器
３１  排出口                ３３  栓部材            ３５  受水部
３７  押し出し手段          ３９  バネ              ４１  ピストン
４３  リング容器
【図１】
2011055873.tif 000003
【図２】
2011055873.tif 000004
【図３】
2011055873.tif 000005
【図４】
2011055873.tif 000006
【図５】
2011055873.tif 000007
【図６】
2011055873.tif 000008